(57)【要約】【課題】組立性の良い電動機及び換気扇を得る。【解決手段】開口面２Ａを有するフレーム２と、フレーム２の開口面２Ａを覆うカバー７と、フレーム２の内部に設けられ、巻線１１を有するステータ１と、巻線１１に電源を供給するリード線９と、フレーム２とカバー７との間に設けられるブラケット６と、を備え、ブラケット６は、ブラケット６の外面から外方に突出する突出部６ｂを有し、突出部６ｂには、リード線９が挿入される切欠６ｂ１が設けられている。【選択図】図１
2015154644.tif 000002
【特許請求の範囲】
【請求項１】
開口面を有するフレームと、
前記フレームの開口面を覆うカバーと、
前記フレームの内部に設けられ、巻線を有するステータと、
前記巻線に電源を供給するリード線と、
前記フレームと前記カバーとの間に設けられるブラケットと、を備え、
前記ブラケットは、
該ブラケットの外面から外方に突出する突出部を有し、
前記突出部には、前記リード線が挿入される切欠が設けられている
ことを特徴とする電動機。
【請求項２】
前記切欠はＵ字形状である
ことを特徴とする請求項１に記載の電動機。
【請求項３】
前記切欠に前記リード線が挿入された状態で、前記突出部の内面と前記リード線の外面とが当接する
ことを特徴とする請求項１又は請求項２に記載の電動機。
【請求項４】
請求項１〜請求項３の何れか一項に記載の電動機と、
前記電動機が取り付けられる本体と、
前記本体の外面の一部を構成する天板と、を備え、
前記天板には、前記リード線が挿入されるリード線挿入穴が設けられている
ことを特徴とする換気扇。
【請求項５】
前記本体を平面視した状態で、
前記リード線挿入穴の縁の内側に前記切欠が設けられている
ことを特徴とする請求項４に記載の換気扇。
【発明の詳細な説明】
【技術分野】
【０００１】
本発明は、電動機及び換気扇に関する。
【背景技術】
【０００２】
従来、天井取付型の換気扇等の送風機の電動機として、外郭がフレーム及び切欠部の形成されたブラケットで構成され、ブラケット側からリード線が引き出される構成のものが多く採用されている。このような構成の送風機は、箱形の本体枠の天板に設けられた電動機取付孔に内側から電動機を装着し、リード線をブラケットの切欠部に引き廻している。また、送風機の内部には電源を供給する端子台等が設けられており、電動機のリード線も本体枠の内側に引き入れている。このように、電動機のリード線を本体枠の内側に引き入れるために、電動機のリード線を通すリード線挿入穴を送風機の天板に設けているものが多い。
【０００３】
このような送風機においては、ブラケットの切欠部と天板との間に形成される隙間を埋めるようにパッキン材を詰め、ブラケットのリード線の口出し部分にパッキン材を詰めることで、防水等の対策を図っている。
【０００４】
また従来、電動機のリード線を被覆保護するリード線カバーを本体箱体の外周部に設けた天井用換気扇があった（例えば、特許文献１）。
【先行技術文献】
【特許文献】
【０００５】
【特許文献１】特開平８―２１９５２０号公報（［００１７］、［００１８］、図１）
【発明の概要】
【発明が解決しようとする課題】
【０００６】
しかしながら、上述した従来の送風機は、パッキン材を装着する必要があり、特許文献１に記載の天井用換気扇は、リード線カバーと本体箱体との連絡部に形成される隙間を埋めるために、例えばパッキン材を詰め込む必要がある。したがって、上述した従来の送風機及び特許文献１に記載の天井用換気扇は、パッキン材を詰め込む煩わしい作業が必要であり組立性が悪く、パッキン材の分だけ部品点数が嵩んでしまうという課題があった。
【０００７】
また、上述の従来の送風機及び特許文献１に記載の天井用換気扇は、パッキン材の装着の方法によっては、リード線と送風機の羽根とが接触したり、風や湿気が隙間から漏れて送風機の性能が悪化するということもあった。
【０００８】
また、送風機が浴室等に設けられている場合には、送風機が浴室等の湿った空気を吸い込み、この吸い込んだ空気が天井内に漏れることで、天井内に結露やカビが発生し、住宅の寿命が短くなるということもあった。
【０００９】
本発明は、上述の課題を背景としてなされたものであって、組立性の良い電動機及び換気扇を得ることを目的とする。
【課題を解決するための手段】
【００１０】
本発明に係る電動機は、開口面を有するフレームと、前記フレームの開口面を覆うカバーと、前記フレームの内部に設けられ、巻線を有するステータと、前記巻線に電源を供給するリード線と、前記フレームと前記カバーとの間に設けられるブラケットと、を備え、前記ブラケットは、該ブラケットの外面から外方に突出する突出部を有し、前記突出部には、前記リード線が挿入される切欠が設けられているものである。
【００１１】
本発明に係る換気扇は、本発明の電動機と、前記電動機が取り付けられる本体と、前記本体の外面の一部を構成する天板と、を備え、前記天板には、前記リード線が挿入されるリード線挿入穴が設けられているものである。
【発明の効果】
【００１２】
本発明は、ブラケットの外面から外方に突出する突出部には、リード線が挿入される切欠が設けられているため、組立性の良い電動機及び換気扇を得ることができる。
【図面の簡単な説明】
【００１３】
【図１】本発明の実施の形態に係る電動機１００の側面図である。
【図２】本発明の実施の形態に係る電動機１００のブラケット６の平面図である。
【図３】本発明の実施の形態に係る電動機１００が取り付けられる換気扇２００を示す断面図である。
【図４】本発明の実施の形態に係る電動機１００が取り付けられる換気扇２００の天板２１ａを示す図であり、図３の平面図である。
【図５】本発明の実施の形態に係る電動機１００が取り付けられた換気扇２００を示す断面図である。
【図６】本発明の実施の形態に係る電動機１００が取り付けられた換気扇２００の天板２１ａを示す図であり、図５の上面図である。
【図７】本発明の実施の形態に係る電動機１００のリード線９が換気扇２００内に挿入された状態を示す断面図である。
【発明を実施するための形態】
【００１４】
以下に、本発明の実施の形態に係る電動機１００及び換気扇２００を図面に基づいて説明する。図１は本発明の実施の形態に係る電動機１００の側面図である。図２は本発明の実施の形態に係る電動機１００のブラケット６の平面図である。
【００１５】
図１に示されるように、電動機１００は、ステータ１と、フレーム２と、シャフト３と、ロータ４と、軸受５と、カバー７と、を備える。以下、電動機１００の各構成について説明する。
【００１６】
ステータ１は、鉄心に巻線１１が巻き廻されて構成される部材である。フレーム２は、電動機１００の外郭の一部を構成する部材であり、開口面２Ａ及びフレームフランジ部２ａを有する。フレームフランジ部２ａは取付穴（図示省略）を有する。フレーム２の内部には、開口面２Ａを介してステータ１等の部材が設けられる。フレーム２の開口面２Ａ側にはブラケット６が設けられている。
【００１７】
シャフト３は、ロータ４及び軸受５に連結されており、ステータ１よりも電動機１００の内側（中心側）に設けられる部材である。カバー７は、電動機１００の外郭の一部を構成する部材であり、カバーフランジ部７ａを有する。カバー７は、フレーム２の開口面２Ａを覆うようにフレーム２に取り付けられる。カバーフランジ部７ａは取付穴（図示省略）を有する。
【００１８】
図１，図２に示されるように、ブラケット６は、例えば、側面視して凹状に形成された樹脂性の部材であり、ブラケットフランジ部６ａ及び突出部６ｂを有する。突出部６ｂは、例えばＵ字形状の部材である。ブラケットフランジ部６ａ及び突出部６ｂは、それぞれブラケット６の異なる外面から突出するように設けられる。ブラケット６は、電動機１００が組み立てられた状態でフレーム２とカバー７との間に位置する。
【００１９】
ブラケットフランジ部６ａには取付穴６ａ１が形成されている。取付穴６ａ１は、電動機１００を換気扇２００に取り付けるときに用いられる穴である。取付穴６ａ１には、例えばネジ等の固定部材が挿入される。
【００２０】
フレームフランジ部２ａ、ブラケットフランジ部６ａ、及びカバーフランジ部７ａを同一平面上に位置するように設けた状態で、ネジ等の部材（図示省略）を用いて、フレーム２、ブラケット６、及びカバー７が相互に外れないように固定する。このようにして、ブラケット６は、フレーム２の内部に設けられたステータ１の露出する部分を覆う。また、ブラケット６は、その端部がフレーム２及びカバー７に挟み込まれる。
【００２１】
ステータ１の巻線１１には、巻線１１に電源を供給するリード線９が繋がれている。リード線９は、カバー７から引き出され、ブラケット６の突出部６ｂまで引き回している。突出部６ｂの先端には切欠６ｂ１が設けられている。切欠６ｂ１は、リード線９が挿入される空間である。切欠６ｂ１を設けることで、突出部６ｂには内面６ｂ２が形成され、突出部６ｂにはリード線９が案内される。切欠６ｂ１にリード線９が挿入されると、突出部６ｂの内面６ｂ２とリード線９の外面とが当接し、リード線９は突出部６ｂに挟み込まれて固定される。このようにして、電動機１００を扱う際の作業性が向上する。
【００２２】
図３は本発明の実施の形態に係る電動機１００が取り付けられる換気扇２００を示す断面図である。
図４は本発明の実施の形態に係る電動機１００が取り付けられる換気扇２００の天板２１ａを示す図であり、図３の平面図である。
【００２３】
図３に示されるように、換気扇２００は、羽根１３を備えたダクト用の換気扇であり、例えば居室５０の天井に設けられる。換気扇２００の外郭は本体２１で構成される。本体２１は、例えば箱形の部材で構成されており、天板２１ａ、室内パネル２１ｂ、及びダクト接続口２２を有する。本体２１の内部には、リード線９を固定するための端子台（図示省略）が設けられる。
【００２４】
天板２１ａは、本体２１の天面を構成する部材であり、電動機１００を取り付けられるように一部開口している。室内パネル２１ｂは、本体２１のうち居室５０の天井の室内側に設けられる部材である。室内パネル２１ｂは、本体２１に対して着脱自在に設けられている。このため、本体２１から室内パネル２１ｂを取り外して、本体２１内に設けられる羽根１３等のメンテナンスを容易に行うことができる。室内パネル２１ｂには、居室５０内の空気を通す吸込口２１ｂ１が設けられている。ダクト接続口２２は、配管したダクト（図示省略）を接続する開口であり、本体２１の側面に設けられている。
【００２５】
図４に示されるように、天板２１ａにはリード線挿入穴２１ａ１及び電動機挿入穴２１ａ２が設けられている。リード線挿入穴２１ａ１は、電動機１００のリード線９が挿入される開口である。電動機挿入穴２１ａ２は、電動機１００を取り付けるための開口である。
【００２６】
図５は本発明の実施の形態に係る電動機１００が取り付けられた換気扇２００を示す断面図である。
図６は本発明の実施の形態に係る電動機１００が取り付けられた換気扇２００の天板２１ａを示す図であり、図５の上面図である。
図７は本発明の実施の形態に係る電動機１００のリード線９が換気扇２００内に挿入された状態を示す断面図である。
【００２７】
図５に示されるように、電動機１００は、シャフト３の先端が居室５０側に向くように天板２１ａに取り付けられる。電動機１００が天板２１ａに取り付けられた状態で、電動機１００の一部（例えばカバー７）が露出している。なお、図５中の矢印Ａは空気の流れを示している。
【００２８】
図６に示されるように、電動機１００が天板２１ａに取り付けられた状態で換気扇２００を平面視すると、部材（部位）間の位置関係は以下の（１）及び（２）のようになっている。
【００２９】
（１）突出部６ｂはリード線挿入穴２１ａ１の周縁よりも外側に位置している。このため、電動機１００が天板２１ａに取り付けられた状態で、電動機１００は、居室５０とは反対方向（図５の紙面上方向）への移動が規制される。
【００３０】
（２）切欠６ｂ１がリード線挿入穴２１ａ１の縁の内側に設けられている。このため、切欠６ｂ１及びリード線挿入穴２１ａ１にリード線９を挿入することができる。
【００３１】
図７に示されるように、電動機１００が天板２１ａに取り付けられた状態で、リード線９はリード線挿入穴２１ａ１及び切欠６ｂ１に挿入され、リード線９の先端が換気扇２００内に保持される。
【００３２】
次に、換気扇２００の動作時における風の流れについて説明する。換気扇２００の運転が開始されると、居室５０内の空気は、室内パネル２１ｂを通って換気扇２００の内部に吸い込まれ、ダクト接続口２２及びダクトを流れて屋外へ排出される。
【００３３】
以上のように、本実施の形態に係る電動機１００は、開口面２Ａを有するフレーム２と、フレーム２の開口面２Ａを覆うカバー７と、フレーム２の内部に設けられ、巻線１１を有するステータ１と、巻線１１に電源を供給するリード線９と、フレーム２とカバー７との間に設けられるブラケット６と、を備え、ブラケット６は、ブラケット６の外面から外方に突出する突出部６ｂを有し、突出部６ｂには、リード線９が挿入される切欠６ｂ１が設けられている。このため、リード線９は突出部６ｂに固定される。したがって、例えば、天板２１ａに電動機１００を取り付けて換気扇２００を組み立てる場合に、例えばパッキン材のような部材を必要としないでリード線９のばたつきを抑制することができる。このようにして、組立性の良い電動機１００を得ることができる。
【００３４】
また、リード線９は突出部６ｂに固定されるため、電動機１００をメンテナンスしたり、換気扇２００を組み立てるような場合に、天板２１ａのリード線挿入穴２１ａ１との位置合わせが容易で、リード線９が挿入しやすい。また、リード線９が突出部６ｂに固定されるため、電動機１００を扱いやすく、リード線９の噛み込みが発生することなく作業を行うことができる。
【００３５】
また、リード線９は、切欠６ｂ１及びリード線挿入穴２１ａ１に隙間無く配置されている。このため、天板２１ａに沿ってリード線９を容易に這い廻すことができ、リード線９と羽根１３との接触を抑制できる。さらに、リード線挿入穴２１ａ１の空間は突出部６ｂで完全に覆われている。このように隙間を無くすように構成することで、本体２１内に導入された室内空気は、天井裏等へ漏れることがなく、特に換気扇２００が浴室等に設置された場合においても、浴室内の湿気等が天井裏内に侵入することがなく、天井裏に結露等が発生することを抑制できる。このようにして、風漏れ・湿気漏れが無く品質の安定した電動機１００を得ることができる。
【００３６】
また、リード線９は、天板２１ａに沿って這い廻され、羽根１３と十分な隙間がある構造となっている。ここで、リード線９は突出部６ｂで固定されるため、リード線９に対して引っ張りなどの力が加わっても、リード線９は位置ずれしないように保持される。このため、リード線９が電動機１００の内部接合部に異常な力を加えることはなく断線することもない。このようにして、リード線９が羽根１３に接触することを抑制し、風漏れ及び湿気漏れが無い電動機１００を得ることができ、住宅寿命の悪化を抑制できる。
【００３７】
なお、本実施の形態では、換気扇２００がダクト用換気扇である例について説明したが、壁に設けたパイプや木枠に取り付ける換気扇や、天井や床下の内部に取り付ける換気扇に適用しても、本実施の形態と同様の効果を得ることができる。
【符号の説明】
【００３８】
１  ステータ、２  フレーム、２Ａ  開口面、２ａ  フレームフランジ部、３  シャフト、４  ロータ、５  軸受、６  ブラケット、６ａ  ブラケットフランジ部、６ａ１  取付穴、６ｂ  突出部、６ｂ１  切欠、６ｂ２  内面、７  カバー、７ａ  カバーフランジ部、９  リード線、１１  巻線、１３  羽根、２１  本体、２１ａ  天板、２１ａ１  リード線挿入穴、２１ａ２  電動機挿入穴、２１ｂ  室内パネル、２１ｂ１  吸込口、２２  ダクト接続口、５０  居室、１００  電動機、２００  換気扇、Ａ  矢印。
【図１】
2015154644.tif 000003
【図２】
2015154644.tif 000004
【図３】
2015154644.tif 000005
【図４】
2015154644.tif 000006
【図５】
2015154644.tif 000007
【図６】
2015154644.tif 000008
【図７】
2015154644.tif 000009